(57)【要約】【課題】  橋梁用外ケーブルに使用されているＰＣ鋼より線の点検を容易に行うことが可能なエポキシストランドを提供する。【解決手段】  第１の樹脂１２及び第２の樹脂１３によって被覆されたＰＣ鋼より線１０を複数本束ねてなる橋梁用外ケーブル２０において、これら複数本のＰＣ鋼１０より線のうちの少なくとも１本は第２の樹脂１３が透明である。この第１の樹脂１２はエポキシであることが好ましく、第２の樹脂１３はポリエチレンであることが好ましい。【選択図】    図１
2010174423.tif 000002
【特許請求の範囲】
【請求項１】
第１の樹脂及び第２の樹脂によって被覆されたＰＣ鋼より線を複数本束ねてなる橋梁用外ケーブルにおいて、前記複数本のＰＣ鋼より線のうちの少なくとも１本は前記第２の樹脂が透明であることを特徴とする橋梁用外ケーブル。
【請求項２】
前記第１の樹脂がエポキシであり、前記第２の樹脂がポリエチレンであることを特徴とする、請求項１に記載の橋梁用外ケーブル。
【発明の詳細な説明】
【技術分野】
【０００１】
本発明は、橋梁などのプレストレストコンクリート構造物に使用されるＰＣ鋼より線およびこのＰＣ鋼より線を用いた外ケーブルに関する。
【背景技術】
【０００２】
橋梁などのコンクリート構造物に使用されるプレストレストコンクリート（以下ＰＣと称する）箱桁の軽量化の要求に対し、箱桁部材の薄肉化をはかるために、プレストレス導入用の緊張材をコンクリート部材肉厚断面の外側、すなわち、箱桁断面の内部の空隙に配設する「外ケーブル構造」が採用されている。この外ケーブル構造の採用で、箱桁自体が軽量化されたのに加え、材料費の軽減、施工時の作業量の減少などＰＣケーブルの維持管理や補修が容易となる効果がもたらされた。また、上部工の軽量化はそれを支える下部工（橋脚や基礎）のコスト縮減にもつながった。
【０００３】
この外ケーブル構造においては、プレストレスを導入するため、ＰＣ鋼より線を複数本束ねて構成される外ケーブルが緊張材として使用されている。例えば、特許文献１には、７本撚りの裸のＰＣ鋼より線の表面にエポキシ樹脂を被覆し、更にその表面にポリエチレンを被覆してなるポリエチレン被覆エポキシストランドを１９本束ねてなる外ケーブルが開示されている。このポリエチレン被覆エポキシストランドは、エポキシ樹脂及びポリエチレンによって２重に被覆されているので防食性に優れており、塩害対策橋など特に高耐食性を要求される用途におおいて多く用いられている。
【先行技術文献】
【特許文献】
【０００４】
【特許文献１】特開２０００−０９６４７０号公報
【発明の概要】
【発明が解決しようとする課題】
【０００５】
上記したように、ポリエチレン被覆エポキシストランドは高い耐久性を有しているが、より万全を期すためには、定期的に保全状態を点検することが望ましい。しかしながら、従来のポリエチレン被覆エポキシストランドは、耐候性及び経済性の観点から黒色のポリエチレンで表面が被覆されているため、内部のＰＣ鋼より線の状態を目視にて点検することはできなかった。
【０００６】
本発明は、上記課題を解決するためになされたものであり、橋梁用外ケーブルに使用されているＰＣ鋼より線の点検を容易に行うことが可能なエポキシストランドを提供することを目的としている。
【課題を解決するための手段】
【０００７】
上記目的を達成するため、本発明が提案する橋梁用外ケーブルは、第１の樹脂及び第２の樹脂によって被覆されたＰＣ鋼より線を複数本束ねて構成されており、これら複数本のＰＣ鋼より線のうちの少なくとも１本は第２の樹脂が透明であることを特徴としている。上記本発明の橋梁用外ケーブルにおいては、第１の樹脂がエポキシであり、第２の樹脂がポリエチレンであることが好ましい。
【発明の効果】
【０００８】
本発明によれば、複数本のＰＣ鋼より線のうちの少なくとも１本は第２の樹脂が透明であるので、エポキシ樹脂等の第１の樹脂によって被覆されているＰＣ鋼より線の経年劣化の有無を目視によって確実に識別することができるので、橋梁用外ケーブルの点検を容易に行うことができる。
【図面の簡単な説明】
【０００９】
【図１】本発明の橋梁用外ケーブルを構成するＰＣ鋼より線の一具体例を示す断面図である。
【図２】本発明の橋梁用外ケーブルの一具体例を示す断面図である。
【図３】本発明の橋梁用外ケーブルが橋梁に用いられている例を示す模式図である。
【図４】図３に示す偏向部の部分断面図である。
【図５】図４のＢ−Ｂ部分で橋梁用外ケーブルを切断したときの断面図である。
【発明を実施するための形態】
【００１０】
以下、本発明の橋梁用外ケーブルの一具体例を図面を参照しながら説明する。図１に示すように、橋梁用外ケーブルを構成するＰＣ鋼より線１０は、複数本の素線１１を撚り合わせたものの表面に第１の樹脂１２及び第２の樹脂１３が被覆されている。具体的には、外径１５.２ｍｍの７本より線の表面に、第１の樹脂１２として厚さ０.６ｍｍのエポキシ樹脂が被覆されている。エポキシ樹脂による被覆は、好適には粉体塗装によって行うことができる。
【００１１】
エポキシ樹脂で被覆することによって高い防食性を得ることができるが、更に防食性を高め且つ施工時に生じやすい損傷を防止するため、エポキシ樹脂の表面に、更に第２の樹脂１３として厚さ１.２５ｍｍのポリエチレンが被覆されている。このポリエチレンによる被覆は、好適には押し出し加工によって行うことができる。このようにして、耐久性が高められた外径１８.９ｍｍのＰＣ鋼より線１０が得られる。
【００１２】
上記ＰＣ鋼より線１０を複数本束ねることによって橋梁用外ケーブル２０が構成される。例えば、図２には１９本のＰＣ鋼より線１０を束ねた橋梁用外ケーブル２０が示されている。尚、束ねられる本数は１９本に限定するものではなく、２７本や３７本のＰＣ鋼より線１０が束ねられることもある。
【００１３】
本発明においては、上記橋梁用外ケーブル２０を構成する複数本のＰＣ鋼より線１０のうち、少なくとも１本は第２の樹脂１３が透明であることを特徴としている。例えば、第２の樹脂１３としてポリエチレンを使用する場合は、少なくとも１本のＰＣ鋼より線には透明なポリエチレンが使用されており、残りのＰＣ鋼より線には、カーボンブラック等を添加して黒色にしたポリエチレンが使用されている。
【００１４】
橋梁用外ケーブル２０を構成する各ＰＣ鋼より線１０は、ほぼ同程度に経年劣化すると考えることができるので、第２の樹脂１３を透明にしたＰＣ鋼より線のみを点検することによって、橋梁用外ケーブル２０の保全状態を確認することができる。よって、煩雑でコストのかかる非破壊検査等を行うことなく信頼性の高い点検を簡易に行うことができる。
【００１５】
橋梁用外ケーブル２０を構成する複数本のＰＣ鋼より線１０の全ての第２の樹脂１３を透明なものにしても良いが、黒色は一般に耐候性の点において優れており且つ経済的でもあるので、１〜数本だけを透明にすることが好ましい。尚、複数本を透明にする場合は、束ねられたときに透明にしたもの同士が適度に分散して配置されるのが好ましい。
【００１６】
また、図２の例えば位置Ａのように、ＰＣ鋼より線１０の束の一番外側に透明にしたものが来るようにするのが好ましい。これにより、施工時及び施工後の定期点検をより容易に行うことができる。尚、図２においては、位置ＡはＰＣ鋼より線の束の最下部に位置しているが、かかる位置に限定されるものではなく、束の最上部や横に位置しても良い。
【００１７】
図３には、上記橋梁用外ケーブル２０を橋梁１に使用したときの一例が示されている。図３に示されるように、橋梁用外ケーブル２０は、橋梁１の箱桁の両端部に設けられた定着部２によって緊張力が加えられており、これにより、コンクリート構造からなる橋梁１の耐荷力の維持、及びひび割れなどによる破壊の防止が行われている。
【００１８】
橋梁１の箱桁内部の中央部には複数の偏向部３が設けられている。この偏向部３で橋梁用外ケーブル２０が偏向せしめられている。図４は図３の偏向部３を拡大した部分断面図である。この図４から分るように、偏向部３には橋梁用外ケーブル２０が挿通されるデビエータ管４が設けられている。デビエータ管４内には、更に、摩擦抵抗を少なくしてプレストレス導入時にスムーズに橋梁用外ケーブル２０が移動可能となるように、ポリエチレン管５が設けられている。
【００１９】
この偏向部３では、橋梁用外ケーブル２０に上向きの力が働くので、図５に示すように、橋梁用外ケーブル２０は若干横に広がったような形状となる。この場合においても、図２に示す位置Ａは束になっている複数のＰＣ鋼より線１０の一番外側に位置しており、容易に点検することができる。
【００２０】
以上、本発明の橋梁用外ケーブルの一具体例について説明したが、本発明は係る一具体例に限定されるものではなく、本発明の主旨から逸脱しない範囲内で種々の実施態様が可能であることはいうまでもない。すなわち、本発明は、その技術的範囲が特許請求の範囲及びその均等物に及ぶことを企図している。
【符号の説明】
【００２１】
１      橋梁
２      定着部
３      偏向部
４      デビエータ管
５      ポリエチレン管
１０    ＰＣ鋼より線
１１    素線
１２    第１の樹脂
１３    第２の樹脂
２０    橋梁用外ケーブル
【図１】
2010174423.tif 000003
【図２】
2010174423.tif 000004
【図３】
2010174423.tif 000005
【図４】
2010174423.tif 000006
【図５】
2010174423.tif 000007